(57)【要約】  オーディオ、静止画、ビデオなどのコンテンツデータと共にコンテンツパラメータ、メニュー、プレイリスト、メニュー表示用画像などの管理情報データを記録した記録媒体に管理情報構築の作法が異なる記録装置やプログラムで追加記録を行うと管理情報データの一貫性が失われる。管理情報ファイル群２のファイルヘッダ部３１にそのファイルを編集した装置やプログラムを識別するための編集者識別子３３を記録し、ファイル管理手段１４によりファイルの更新履歴を追跡し既に記録された管理情報の意図を反映して管理情報ファイル作成手段１５により情報更新することにより管理情報の整合性を保持することができる。【選択図】１
2007531175.tif 000002
【特許請求の範囲】
【請求項１】
（ａ）所定のコンテンツデータを格納するコンテンツデータファイルと、（ｂ）前記コンテンツデータファイルを管理するための情報であって、同一種類の記録媒体を扱う任意のプログラムおよび／または機器に対して共通な形式をもつファイルシステム情報と、（ｃ）前記コンテンツデータファイルを管理するための情報であって、前記プログラムおよび／または前記機器に対して共通とは限らない形式をもち、前記ファイルシステム情報の内容の少なくとも一部と実質的に同じ内容をもつ管理情報を格納する管理情報ファイルとを保持する記録媒体と、
前記管理情報ファイルに格納される前記管理情報を作成する管理情報作成手段と、
前記ファイルシステム情報と前記管理情報ファイルに格納されている前記管理情報とを総括し、その総括の結果に所定の論理的な整合性があるか否かを判断する判断手段と、
前記論理的な整合性がないと判断された場合に、前記管理情報ファイルに格納されている前記管理情報を変更する管理情報変更手段とを備えた、管理情報作成変更システム。
【請求項２】
前記論理的な整合性とは、前記記録媒体が前記管理情報ファイルを複数保持する場合には、前記ファイルシステム情報と前記管理情報との間の整合性のみならず、複数の前記管理情報ファイルにそれぞれ格納されている複数の前記管理情報の間の整合性をも意味する、請求項１記載の管理情報作成変更システム。
【請求項３】
前記論理的な整合性があるか否かを判断した結果に関する情報を外部に対して表示する表示手段をさらに備え、
前記管理情報変更手段は、外部からの所定の指示に基づいて前記管理情報を変更するまたは変更しない、請求項２記載の管理情報作成変更システム。
【請求項４】
前記管理情報ファイルは、前記管理情報ファイルに格納されている前記管理情報の作成に利用されたプログラムおよび／または機器に関するプログラム／機器識別子を格納しており、
前記表示手段は、前記管理情報ファイルに格納されている前記プログラム／機器識別子に関する情報をも外部に対して表示する、請求項３記載の管理情報作成変更システム。
【請求項５】
前記管理情報の変更に応じて、前記管理情報ファイルに格納されている前記プログラム／機器識別子を書き直すプログラム／機器識別子書き直し手段をさらに備えた、請求項４記載の管理情報作成変更システム。
【請求項６】
前記記録媒体は、前記管理情報ファイルを複数保持し、
前記管理情報変更手段は、前記外部からの所定の指示に基づいて、前記複数の管理情報ファイルの内の一部の前記管理情報ファイルに格納されている前記管理情報を変更するまたは変更しない、請求項３記載の管理情報作成変更システム。
【請求項７】
前記記録媒体は、前記管理情報ファイルを複数保持し、
前記管理情報変更手段は、前記外部からの所定の指示に基づいて、前記複数の管理情報ファイルに格納されている関連する前記管理情報の全部を変更するまたは変更しない、請求項３記載の管理情報作成変更システム。
【請求項８】
前記記録媒体に保持されている前記コンテンツデータファイルの削除、または前記記録媒体への所定のコンテンツデータファイルの書き込みが外部から要求された場合には、前記コンテンツデータファイルの削除、または前記コンテンツデータファイルの書き込みが行われる前に、
前記判断手段は、前記論理的な整合性があるか否かを判断し、
管理情報変更手段は、前記論理的な整合性がないと判断された場合には、前記管理情報ファイルに格納されている前記管理情報を変更する、請求項１記載の管理情報作成変更システム。
【請求項９】
外部からの前記要求に応じて、前記コンテンツデータファイルの削除、または前記コンテンツデータファイルの書き込みが行われた後にも、
前記判断手段は、前記論理的な整合性があるか否かを判断し、
管理情報変更手段は、前記論理的な整合性がないと判断された場合には、前記管理情報ファイルに格納されている前記管理情報を変更する、請求項８記載の管理情報作成変更システム。
【請求項１０】
前記管理情報ファイルとは、（１）前記コンテンツデータファイルのパラメータを集約したコンテンツ情報ファイル、（２）前記コンテンツデータファイルの再生手順の設定または選択を行うためのメニュー表示に関するメニュー情報ファイル、（３）前記コンテンツデータファイルの再生手順を定義したプレイリストに関するプレイリスト情報ファイル、（４）前記コンテンツデータファイルのメタデータを集約したメタデータ情報ファイル、（５）前記メニュー表示で利用されるバックグランド画像または前記プレイリストのサムネイル画像に関する画像ファイルの内の全部または一部であり、
前記コンテンツデータファイルとは、（ａ）オーディオデータファイル、（ｂ）静止画データファイル、（ｃ）ビデオデータファイル、（ｄ）文字情報データファイルの内の全部または一部である、請求項１記載の管理情報作成変更システム。
【請求項１１】
（ａ）所定のコンテンツデータを格納するコンテンツデータファイルと、（ｂ）前記コンテンツデータファイルを管理するための情報であって、同一種類の記録媒体を扱う任意のプログラムおよび／または機器に対して共通な形式をもつファイルシステム情報と、（ｃ）前記コンテンツデータファイルを管理するための情報であって、前記プログラムおよび／または前記機器に対して共通とは限らない形式をもち、前記ファイルシステム情報の内容の少なくとも一部と実質的に同じ内容をもつ管理情報を格納する管理情報ファイルとを保持する記録媒体。
【請求項１２】
（ａ）所定のコンテンツデータを格納するコンテンツデータファイルと、（ｂ）前記コンテンツデータファイルを管理するための情報であって、同一種類の記録媒体を扱う任意のプログラムおよび／または機器に対して共通な形式をもつファイルシステム情報と、（ｃ）前記コンテンツデータファイルを管理するための情報であって、前記プログラムおよび／または前記機器に対して共通とは限らない形式をもち、前記ファイルシステム情報の内容の少なくとも一部と実質的に同じ内容をもつ管理情報を格納する管理情報ファイルとを保持する記録媒体に保持される、前記管理情報ファイルに格納される前記管理情報を作成する管理情報作成手段を備えた、管理情報作成装置。
【請求項１３】
（ａ）所定のコンテンツデータを格納するコンテンツデータファイルと、（ｂ）前記コンテンツデータファイルを管理するための情報であって、同一種類の記録媒体を扱う任意のプログラムおよび／または機器に対して共通な形式をもつファイルシステム情報と、（ｃ）前記コンテンツデータファイルを管理するための情報であって、前記プログラムおよび／または前記機器に対して共通とは限らない形式をもち、前記ファイルシステム情報の内容の少なくとも一部と実質的に同じ内容をもつ管理情報を格納する管理情報ファイルとを保持する記録媒体に保持される、前記ファイルシステム情報と前記管理情報ファイルに格納されている前記管理情報とを総括し、その総括の結果に所定の論理的な整合性があるか否かを判断する判断手段と、
前記論理的な整合性がないと判断された場合に、前記管理情報ファイルに格納されている前記管理情報を変更する管理情報変更手段とを備えた、管理情報変更装置。
【請求項１４】
（ａ）所定のコンテンツデータを格納するコンテンツデータファイルと、（ｂ）前記コンテンツデータファイルを管理するための情報であって、同一種類の記録媒体を扱う任意のプログラムおよび／または機器に対して共通な形式をもつファイルシステム情報と、（ｃ）前記コンテンツデータファイルを管理するための情報であって、前記プログラムおよび／または前記機器に対して共通とは限らない形式をもち、前記ファイルシステム情報の内容の少なくとも一部と実質的に同じ内容をもつ管理情報を格納する管理情報ファイルとを保持する記録媒体に保持される、前記管理情報ファイルに格納される前記管理情報を作成する管理情報作成ステップを備えた、管理情報作成方法。
【請求項１５】
（ａ）所定のコンテンツデータを格納するコンテンツデータファイルと、（ｂ）前記コンテンツデータファイルを管理するための情報であって、同一種類の記録媒体を扱う任意のプログラムおよび／または機器に対して共通な形式をもつファイルシステム情報と、（ｃ）前記コンテンツデータファイルを管理するための情報であって、前記プログラムおよび／または前記機器に対して共通とは限らない形式をもち、前記ファイルシステム情報の内容の少なくとも一部と実質的に同じ内容をもつ管理情報を格納する管理情報ファイルとを保持する記録媒体に保持される、前記ファイルシステム情報と前記管理情報ファイルに格納されている前記管理情報とを総括し、その総括の結果に所定の論理的な整合性があるか否かを判断する判断ステップと、
前記論理的な整合性がないと判断された場合に、前記管理情報ファイルに格納されている前記管理情報を変更する管理情報変更ステップとを備えた、管理情報変更方法。
【請求項１６】
請求項１４記載の管理情報作成方法の、（ａ）所定のコンテンツデータを格納するコンテンツデータファイルと、（ｂ）前記コンテンツデータファイルを管理するための情報であって、同一種類の記録媒体を扱う任意のプログラムおよび／または機器に対して共通な形式をもつファイルシステム情報と、（ｃ）前記コンテンツデータファイルを管理するための情報であって、前記プログラムおよび／または前記機器に対して共通とは限らない形式をもち、前記ファイルシステム情報の内容の少なくとも一部と実質的に同じ内容をもつ管理情報を格納する管理情報ファイルとを保持する記録媒体に保持される、前記管理情報ファイルに格納される前記管理情報を作成する管理情報作成ステップをコンピュータに実行させるためのプログラム。
【請求項１７】
請求項１５記載の管理情報変更方法の、（ａ）所定のコンテンツデータを格納するコンテンツデータファイルと、（ｂ）前記コンテンツデータファイルを管理するための情報であって、同一種類の記録媒体を扱う任意のプログラムおよび／または機器に対して共通な形式をもつファイルシステム情報と、（ｃ）前記コンテンツデータファイルを管理するための情報であって、前記プログラムおよび／または前記機器に対して共通とは限らない形式をもち、前記ファイルシステム情報の内容の少なくとも一部と実質的に同じ内容をもつ管理情報を格納する管理情報ファイルとを保持する記録媒体に保持される、前記ファイルシステム情報と前記管理情報ファイルに格納されている前記管理情報とを総括し、その総括の結果に所定の論理的な整合性があるか否かを判断する判断ステップと、前記論理的な整合性がないと判断された場合に、前記管理情報ファイルに格納されている前記管理情報を変更する管理情報変更ステップとをコンピュータに実行させるためのプログラム。
【請求項１８】
請求項１６または１７記載のプログラムを担持した記録媒体であって、コンピュータにより処理可能な記録媒体。
【発明の詳細な説明】
【技術分野】
【０００１】
本発明は、記録再生装置、再生装置、記録再生方法、再生方法、プログラム、および記録媒体に関するものである。
【背景技術】
【０００２】
従来、パーソナルコンピュータにおいては音楽・音声・効果音などを記録したオーディオデータファイルや写真・絵画・グラフィック等を記録した静止画データファイルや映画・ビデオ・アニメーションなどを記録したビデオデータファイルをユーザーの希望によりこれらが保存された記録媒体から選択して再生することができる。これらのデータは記録媒体に応じた所定のファイルシステムで管理されており、パーソナルコンピュータでは階層構造を持ったディレクトリの中に存在するファイルとしてその所在を認識することができる。
【０００３】
これらのデータファイルの中で複数のファイルを特定の順番で連続的に再生する手順を定義したファイルを一般にプレイリストファイルと呼んでいる。ファイル名の前にディレクトリのパス名を付けた文字列を単純に並べただけのプレイリストファイル（例えば、非特許文献１参照）や、ファイル名とそれ以外の情報を一緒に記述したXＭＬ（ｅＸｔｅｎｓｉｂｌｅ  Ｍａｒｋｕｐ  Ｌａｎｇｕａｇｅ）形式のプレイリストファイル（例えば、非特許文献２参照）や、データファイルをＩＤ番号で定義し、プレイリストファイルだけではなくコンテンツデータファイルのパラメータ情報やユーザーインターフェースとしてのメニュー情報やメニュー表示で使用する画像ファイルやコンテンツデータファイルのメタデータなどの管理情報をまとめて一緒に記録するシステムなどが存在する（例えば、非特許文献３参照）。
【０００４】
ＣＤ−Ｒ（Ｃｏｍｐａｃｔ  Ｄｉｓｃ−Ｒｅｃｏｒｄａｂｌｅ）などの記録媒体上にデータファイルと一緒にこれらのプレイリストファイルを記録しておくと、それぞれのプレイリストファイルに対応したプレーヤで再生するときに、ユーザーはプレイリストファイルを選択するだけで希望のデータファイルを一定の順序で再生することができる。
【０００５】
また、オーディオデータファイルに付随するアーティスト名などの補助情報を利用してプレイリストファイルをより簡単な操作で自動的に作成する記録再生装置がある（例えば、特許文献１参照）。
【０００６】
このように画像を活用したメニューやメタデータであるテキスト情報そしてプレイリストを利用することによって、ユーザーは記録媒体に大量に保存されたコンテンツデータファイルの中から、特定のくくりでまとめておいた分類を選択することで、希望するものを容易に探し出して再生することができる。
【０００７】
また追加記録が可能な光ディスク媒体を一意に特定するために固有識別子を記録する方法がある（例えば特許文献２参照）。
【非特許文献１】ＣＤ→ＷＡＶ→ＭＰ３のページ作者、"プレイリストについて"、［ online ］、平成１５年６月１２日、［平成１５年６月１２日検索］、インターネット＜URL:http://www.cdwavmp3.com/player/playlist.html＞
【非特許文献２】Optical Storage Technology Association, Inc.、"MPV Core Specification Revision 1.01"、［ online ］、平成１５年３月１１日、［平成１５年６月１２日検索］、インターネット＜URL:http://www.osta.org/mpv/public/specs.htm＞
【非特許文献３】麻倉怜士？、"連載  何かが道をやって来る  Vol.３"、HiVi（株）ステレオサウンド  平成１５年６月号１６４〜１６７頁
【特許文献１】特開２００２−３１３０７０公報
【特許文献２】特許第３２９７３３３号
【発明の開示】
【発明が解決しようとする課題】
【０００８】
解決しようとする問題点は、記録媒体の容量が増大し、そこに記録されるオーディオ、静止画、ビデオなどのコンテンツデータファイルやプレイリストファイル、メニューファイルの数が増えるとともに、それでも１回の記録操作ではその容量を使い切れないので複数回にわたってコンテンツデータファイルの追加を行うと、その度にメニュー情報やプレイリスト情報、メタデータ情報などの管理情報も更新が必要になることから生じる。例えばメニューやプレイリストの構築アルゴリズムや分類の方法が異なる装置にまたがって書き換えを行った場合には、先に作成されていた管理情報を継承することができずに、元の状態で意図していたメニュー構成やプレイリストの分類系統が崩されてしまい、ユーザーに不利益を与えてしまう点である。例えばアーティスト別で分類するプレイリスト情報ファイルを含んだ記録媒体に対して、そのような分類をしない記録装置でコンテンツデータファイルを追加した場合には、アーティスト別のプレイリストではそのコンテンツデータファイルは選択できないという問題が発生する。
【課題を解決するための手段】
【０００９】
本発明は、管理情報ファイルの種類としてコンテンツデータファイルのパラメータを集約したコンテンツ情報ファイル、コンテンツ再生の動作手順の設定や選択をするためのユーザーインターフェースとしてのメニューの表示内容を記述したメニュー情報ファイル、コンテンツデータファイルを特定の順番で連続的に再生する手順を定義したプレイリスト情報ファイル、コンテンツデータファイルのメタデータを集約したメタデータ情報ファイル、メニュー表示で使用するバックグランド画像やプレイリストのサムネイル画像をまとめたメニュー表示用画像ファイルなどが有り、それらの管理情報ファイルの例えばファイルヘッダ領域にそのファイルを作成した機器やシステムあるいはアプリケーションを識別するための編集者識別子を記録し、ファイルの更新履歴を追跡するためのキーワードとすることを最も主要な特徴とする。
【発明の効果】
【００１０】
本発明の記録再生装置、再生装置、記録再生方法、再生方法、プログラム、および記録媒体は、管理情報ファイルに記録した編集者識別子を読み取ることで、既に記録されている管理情報ファイルが自己記録したものかどうか、さらにどのような装置で記録されたものなのかを認識することができる。自己記録したものである場合には、その記録媒体に別のコンテンツデータファイルを追加したり、既に記録されたコンテンツデータを削除したり、あるいはメユー情報ファイルやプレイリスト情報ファイルを編集する場合に、変更したい部分のデータを書き換えるだけで、意図通りの編集が完了する。また自己記録したものではない場合には、意図したメニューやプレイリストが無いことを想定し、全てのコンテンツのメタデータ情報を検索して必要なメニューとプレイリストを新たに作成し直し、それに対して追加の書き換えを行うことで、意図した構成のメニューやプレイリストを含ませることができる。
【００１１】
また、複数の記録装置にまたがって追加記録を繰り返すうちに管理情報ファイルの正当性がなくなり、極端な場合には再生すらできなくなったときに、管理情報ファイルに記録した編集者識別子を読み取って表示することで、どの記録装置に問題が有るのかを特定することができる。
【００１２】
さらにそれぞれの記録装置の癖をデータベースとして保有しておけば、追加記録の際に最後の記録で使用した記録装置と今回使用する記録装置の管理情報ファイル作成方法の違いを認識して、足りない情報を補ったり、あるいは不要な情報を削除したりして、より完成度の高い管理情報ファイルを作成し直すことができるという利点がある。
【発明を実施するための最良の形態】
【００１３】
複数の記録装置にまたがって追加記録を繰り返しても、最終的な記録が完了した時点で意図した構成のメニュー情報ファイルやプレイリスト情報ファイルなどの管理情報ファイルを作成できるようにするという目的、あるいは追加記録により管理情報ファイルの正当性が失われたときにその原因となった記録装置を特定するという目的を、管理情報ファイルの例えばファイルヘッダ領域にそのファイルを作成した機器やシステムあるいはアプリケーションを識別するための編集者識別子を記録するという手段により実現した。
【００１４】
以下本発明の実施の形態について、図１から図３を用いて説明する。
【００１５】
（実施の形態）
はじめに図１は、本発明の実施の形態における記録再生装置のブロック図である。
１は着脱可能な記録媒体、２は記録媒体１に保持されるコンテンツデータファイルの集まりであるコンテンツデータファイル群、３はコンテンツデータファイル群２の一要素であるオーディオデータファイル、４はコンテンツデータファイル群２の一要素である静止画データファイル、５はコンテンツデータファイル群２の一要素であるビデオデータファイル、６は記録媒体１に保持される管理情報ファイルの集まりである管理情報ファイル群、７は管理情報ファイル群６の一要素でありコンテンツデータファイルのパラメータを集約したコンテンツ情報ファイル、８は管理情報ファイル群６の一要素でありコンテンツ再生の動作手順の設定や選択をするためのユーザーインターフェースとしてのメニューの表示内容を記述したメニュー情報ファイル、９は管理情報ファイル群６の一要素でありコンテンツデータファイルを特定の順番で連続的に再生する手順を定義したプレイリスト情報ファイル、１０は管理情報ファイル群６の一要素でありコンテンツデータファイルのメタデータを集約したメタデータ情報ファイル、１１は管理情報ファイル群６の一要素でありメニュー表示で使用するバックグランド画像やプレイリストのサムネイル画像をまとめたメニュー表示用画像ファイル、１２は本発明の記録再生装置、１３は記録再生装置１２においてファイル情報の管理、作成とその他のブロックの制御をおこなう制御手段、１４は制御手段１３において全てのファイル情報、表示するメニュー情報の管理を行うファイル管理手段、１５は制御手段１３において管理情報ファイルの作成を行う管理情報ファイル作成手段、１６は記録媒体１に記録するためのコンテンツデータファイル群やその他情報ファイルを記録再生装置１２の内部で保持する内部記憶手段、１７は内部記憶手段１０に保持されるコンテンツデータファイル、１８は管理情報ファイル群６の各ファイルに記載する編集者識別子を項目として分類された各種記録再生装置の管理情報作成における特徴情報である編集者識別子別エラー情報ファイル、１９は管理情報ファイル作成手段１５により作成された管理情報ファイルやコンテンツデータファイル１７を記録媒体１に記録するファイル記録手段、２０は記録媒体１からコンテンツデータファイル群２や管理情報ファイル６の読み出しを行うファイル読み出し手段、２１はファイル読み出し手段２０で読み出したコンテンツデータファイルのデコード処理を行うコンテンツデータファイルデコード手段、２２はユーザーに記録再生装置１２の動作状況やコンテンツデータファイルを再生する際のメニューや管理情報ファイルが異常なときの不整合内容または不整合ファイルまたは不整合を起こした編集者識別子を表示して知らせるメニュー表示手段、２３はメニューを操作して記録再生装置１２の動作を指示する操作入力手段、２４は内部記憶手段１６に保存するあるいはファイル記録手段１９により記録媒体１に記録するコンテンツデータファイルのエンコード処理を行うコンテンツデータファイルエンコード手段を構成している。
【００１６】
ここでは記録媒体１は着脱可能な構成としたが、記録再生装置に内蔵される記録媒体であり、さらに保持されるそれぞれのファイルを記録再生装置の外部に接続された装置や通信路から取り込んだり、または読み出したりできる構成であっても良い。具体的には、記録媒体１は、ＣＤ−Ｒ／−ＲＷ、ＤＶＤ−ＲＡＭ／−Ｒ／−ＲＷ／＋Ｒ／＋ＲＷなどの光ディスク、リムーバブルのＨＤ（Ｈａｒｄ  Ｄｉｓｋ）、フラッシュメモリ、ネットワークに接続されたサーバーなどを有している。
【００１７】
また制御手段１３は具体的には、ＣＰＵ（Ｃｅｎｔｒａｌ  Ｐｒｏｃｅｓｓｉｎｇ  Ｕｎｉｔ）や組み込み型のマイクロコンピュータなどを有している。
【００１８】
続いて、図２は本発明の実施の形態における管理情報ファイル３０の説明図であり、３１はその管理情報ファイルの種別情報やそこに含まれるデータファイルの各種補助情報や管理情報ファイルの個数などを格納するヘッダ部、３２は各種管理情報ファイルにおけるデータそのものを格納したデータ部、３３はヘッダ部３１の所定の領域に割り当てられていてそれぞれの管理情報ファイルを作成した装置やアプリケーションの名称やコードなどの識別情報である編集者識別子を構成している。
【００１９】
続いて、図３は本発明の実施の形態における各管理情報ファイルと記録媒体のファイルシステムを読み込んだときに全情報の内容の整合性をチェックし、不整合があった場合に管理情報をどう処理するかを示す記録再生装置１２の処理フロー図である。
【００２０】
次に、管理情報のチェックと内容修正処理のフロー図３を用いて記録媒体に記録されたコンテンツデータファイルを再生する、あるいはコンテンツデータファイルを削除したり分割するなどの編集を加える、あるいは新たにコンテンツデータファイルを追加記録するという操作の前に、記録媒体に記録されている管理情報ファイル、記録媒体のファイルシステムまたはコンテンツデータファイルの論理的な整合性を確認し、その結果に応じて管理情報ファイルを操作するときの動作について説明する。
【００２１】
記録媒体１にはオーディオデータファイル３、静止画データファイル４、ビデオデータファイル５のいずれか１個以上のデータファイルからなるコンテンツデータファイル群２とコンテンツデータファイルのパラメータを集約したコンテンツ情報ファイル７、コンテンツ再生の動作手順の設定や選択をするためのユーザーインターフェースとしてのメニューの表示内容を記述したメニュー情報ファイル８、コンテンツデータファイルを特定の順番で連続的に再生する手順を定義したプレイリスト情報ファイル９、コンテンツデータファイルのメタデータを集約したメタデータ情報ファイル１０、メニュー表示で使用するバックグランド画像やプレイリストのサムネイル画像をまとめたメニュー表示用画像ファイル１１のいずれか１個以上の情報ファイルからなる管理情報ファイル群６が保存されているとする。ここでユーザーが記録再生装置１２により、コンテンツデータファイルの再生、削除、分割編集あるいは新たなコンテンツデータファイルの追加記録といった操作をしたいと思った場合に、記録再生装置１２はまず最初に管理情報ファイルのデータ内容の論理的な正当性を確認する。これは再生動作を行うためのメニュー情報ファイル８やプレイリスト情報ファイル９が不正規であると、選択したコンテンツデータファイルの再生ができなくなることや、記録、編集動作を行ったときに管理情報ファイル群６が不正規であると、それを元に情報を更新した管理情報ファイル群も不正規になり、それ以降の再生操作がユーザーの意図通りに行えなくなることを防止するためである。
【００２２】
ステップ４０で管理情報チェックを開始すると、処理ステップ４１と処理ステップ４２でファイル管理手段１４はファイル読み出し手段２０により記録媒体１から管理情報ファイル群６と記録媒体のファイルシステム情報を読み込む。必要に応じてこれらの情報を内部記憶手段１６に保存しておいてもよい。次に分岐処理ステップ４３で読み込んだ管理情報ファイル群６と記録媒体のファイルシステム情報の内容を照合して論理的に不整合が無いか確認し、問題が無ければ処理ステップ５０で再生、削除、分割編集あるいは追加記録の操作をするためのメニュー表示を行い、ステップ５１で管理情報チェックの処理を終了して次の処理へ進んでいく。
【００２３】
もし分岐処理ステップ４３で問題が有れば処理ステップ４４へ分岐し、不整合内容、不整合情報ファイルの編集者識別子３３、あるいは不整合情報ファイルのファイル名をメニュー表示手段２２により表示して管理情報ファイル群６の内容に異常が有ることをユーザーに知らせる。不整合情報ファイルの編集者識別子３３を表示することにより、ユーザーは以前使用した装置またはプログラムのどれが原因であったかを認識することができ、同じ失敗を繰り返すことを回避できるとともに、不具合のある装置またはプログラムを修正するように働きかけることができる。次に分岐処理ステップ４５で、あらかじめ不整合が発生したときにどのような処理をすべきか設定しておいた内容に応じて、あるいはその時にユーザー選択させることによって４種類の処理に分岐する。
【００２４】
処理ステップ４６に分岐した場合には、管理情報ファイル作成手段１５により全ての管理情報ファイルを新たに作成し直す。このとき元の管理情報ファイル群で実現しようとしていたオリジナルのメニュー構成やプレイリスト、メニュー表示で使用する背景画像やサムネイル画像などを失うことになるが、本記録再生装置１２が備えた分類方法により、全てのコンテンツデータファイルを対象として、確実に不整合のない管理情報ファイルを再構成することができる。
【００２５】
次に処理ステップ４７に分岐した場合には、管理情報ファイル作成手段１５により不整合のある管理情報ファイル群のみを新たに作成し直す。このとき作成し直す管理情報ファイルで実現しようとしていたオリジナルのメニュー構成、またはプレイリスト、またはメニュー表示で使用する背景画像、またはサムネイル画像などを失うことになるが、本記録再生装置１２が備えた分類方法により、できる限り不整合のない管理情報ファイルを生かしたまま、不整合のある管理情報ファイルのみを正しく再構成することができる。
【００２６】
次に処理ステップ４８に分岐した場合には、管理情報ファイル作成手段１５により不整合のある管理情報ファイル群のみを新たに作成し直す。処理ステップ４８を実行するときには、適切な編集者識別子別エラー情報ファイル１８を内部記憶手段１６に保持していることが前提となる。編集者識別子別エラー情報ファイル１８には各種の記録再生装置やプログラムを識別するための編集者識別子３３で分類された編集者識別子別の管理情報ファイルの特徴的なメニューやプレイリストの構成や分類の方法、さらには別の記録再生装置やプログラムで追加記録したときに発生するエラー情報を記録している。この編集者識別子別エラー情報ファイル１８を参照することにより、作成し直す管理情報ファイルで実現しようとしていたオリジナルのメニュー構成、またはプレイリスト、またはメニュー表示で使用する背景画像、またはサムネイル画像などを失うことなく不整合のある管理情報ファイルのみを正しく再構成することができる。
【００２７】
次に処理ステップ４８に分岐した場合には、不整合のある管理情報ファイル群はそのままにして、管理情報ファイルは利用不可能であると判断する。このときはこの記録媒体１には管理情報ファイルがないという仮定で、コンテンツデータファイル群の再生を行うことになる。すなわちこの記録再生装置１２が備えたオリジナルメニュー、例えば記録媒体１のファイルシステムを元にディレクトリ名を表示して、ユーザーに選択させ、次にそのディレクトリに含まれるコンテンツデータのファイル名を表示して、ユーザーに選択させるという方法で目的のデータファイルを絞り込むということも可能である。
【００２８】
以上の処理により、処理ステップ５０では動作に問題のない状態でメニュー表示を行うことが実現できる。
【００２９】
また記録再生装置１２の内部記憶手段１６にコンテンツデータファイル群１７が保持されている場合、あるいは外部からオーディオ、静止画、ビデオを取り込みコンテンツデータファイルにエンコードするコンテンツデータエンコード手段２４を備えている場合には、ファイル記録手段１９により記録媒体１にコンテンツデータファイルの追加記録が可能である。そのとき追加記録を行う際にファイル管理手段１４が既に記録媒体１に保持されたコンテンツデータファイル群２と管理情報ファイル群６とファイルシステムシステムの論理的な関係を確認し、整合性が取れていないと判断した場合に、管理情報のチェックと内容修正処理のフロー図３に従って管理情報ファイルの整合性を回復したうえで新たなコンテンツデータファイルの追加記録を行うことにより、元の管理情報ファイル群で実現しようとしていたオリジナルのメニュー構成やプレイリスト、メニュー表示で使用する背景画像やサムネイル画像などを問題なく継承することができる。
【００３０】
以上においては、実施の形態１について詳細に説明を行った。
【００３１】
なお、本発明のプログラムは、上述した本発明の記録再生装置、再生装置の全部または一部の手段（または、装置）の機能をコンピュータにより実行させるためのプログラムであって、コンピュータと協働して動作するプログラムである。
【００３２】
また、本発明のプログラムは、上述した本発明の記録再生方法、再生方法の全部または一部のステップの動作をコンピュータにより実行させるためのプログラムであって、コンピュータと協働して動作するプログラムである。
【００３３】
また、本発明の記録媒体は、上述した本発明の記録再生装置、再生装置の全部または一部の手段（または、装置）の全部または一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００３４】
また、本発明の記録媒体は、上述した本発明の記録再生方法、再生方法の全部または一部のステップの全部または一部の動作をコンピュータにより実行させるためのプログラムを担持した記録媒体であり、コンピュータにより読み取り可能且つ、読み取られた前記プログラムが前記コンピュータと協動して前記動作を実行する記録媒体である。
【００３５】
また、本発明の上記「手段の機能」とは、前記手段の全部または一部の機能を意味し、本発明の上記「ステップの動作」とは、前記ステップの全部または一部の動作を意味する。 
【００３６】
また、本発明のプログラムの一利用形態は、コンピュータにより読み取り可能な記録媒体に記録され、コンピュータと協働して動作する態様であっても良い。
【００３７】
また、本発明のプログラムの一利用形態は、伝送媒体中を伝送し、コンピュータにより読み取られ、コンピュータと協働して動作する態様であっても良い。
【００３８】
また、記録媒体としては、ＲＯＭ等が含まれ、伝送媒体としては、インターネット等の伝送媒体、光・電波・音波等が含まれる。
【００３９】
また、上述した本発明のコンピュータは、ＣＰＵ等の純然たるハードウェアに限らず、ファームウェアや、ＯＳ、さらに周辺機器を含むものであっても良い。
【００４０】
なお、以上説明した様に、本発明の構成は、ソフトウェア的に実現しても良いし、ハードウェア的に実現しても良い。
【００４１】
なお、本実施の形態における論理的な整合性とは、たとえば、（１）コンテンツ情報ファイル７に記載されたコンテンツデータファイル２の実体がファイルシステム情報に記載されたディレクトリに実在し、その記録位置アドレスが正確であることや、（２）プレイリスト情報ファイル９で構築された分類が、そのプレイリストに記載されたコンテンツデータファイル２のメタ情報と適合していることや、（３）メニュー情報ファイル８で構築されたメニューの内容が、そのメニューのテーマと適合していることである（たとえば、メニューのテーマが「全曲を表示する」である場合には、全部のコンテンツデータファイルがメニューの内容として記載されていなければならない）。
【００４２】
また、本実施の形態における論理的な整合性がないと判断された場合における処理とは、たとえば、（１）管理情報ファイル群６における管理情報ファイルから、ファイルシステム情報に記載されていないファイル情報を削除することや、（２）コンテンツデータファイル２のメタ情報に基づき、プレイリスト情報ファイル９で構築された分類に適合するように、そのプレイリストの内容を変更することや、（３）メニュー情報ファイル８で構築されたメニューのテーマに適合するように、そのメニューのツリー構造における親子関係を修正することである。
【００４３】
なお、本発明の記録媒体は記録媒体１に対応し、本発明の管理情報作成手段は管理情報ファイル作成手段１５およびファイル記録手段１９を含む手段に対応し、本発明の判断手段はファイル管理手段１４に対応し、本発明の管理情報変更手段は管理情報ファイル作成手段１５およびファイル記録手段１９を含む手段に対応し、本発明の管理情報作成変更システムは記録再生装置１２に対応する。また、本発明の表示手段は、メニュー表示手段２２に対応する。また、本発明のプログラム／機器識別子書き直し手段は、ファイル記録手段１９に対応する。また、本発明のプログラム／機器識別子は、本実施の形態の編集者識別子に対応する。
【産業上の利用可能性】
【００４４】
本発明にかかる記録再生装置、再生装置、記録再生方法、再生方法、プログラム、および記録媒体は、管理情報ファイルに記録した編集者識別子を読み取ることで、既に記録されている管理情報ファイルが自己記録したものかどうか、さらにどのような装置で記録されたものなのかを認識することができる。自己記録したものである場合には、その記録媒体に別のコンテンツデータファイルを追加したり、既に記録されたコンテンツデータを削除したり、あるいはメユー情報ファイルやプレイリスト情報ファイルを編集する場合に、変更したい部分のデータを書き換えるだけで、意図通りの編集が完了する。また自己記録したものではない場合には、意図したメニューやプレイリストが無いことを想定し、全てのコンテンツのメタデータ情報を検索して必要なメニューとプレイリストを新たに作成し直し、それに対して追加の書き換えを行うことで、意図した構成のメニューやプレイリストを含ませることができるといった用途にも適用できる。
【００４５】
また、複数の記録装置にまたがって追加記録を繰り返すうちに管理情報ファイルの正当性がなくなり、極端な場合には再生すらできなくなったときに、管理情報ファイルに記録した編集者識別子を読み取って表示することで、どの記録装置に問題が有るのかを特定することができるといった用途にも適用できる。
【００４６】
さらにそれぞれの記録装置の癖をデータベースとして保有しておけば、追加記録の際に最後の記録で使用した記録装置と今回使用する記録装置の管理情報ファイル作成方法の違いを認識して、足りない情報を補ったり、あるいは不要な情報を削除したりして、より完成度の高い管理情報ファイルを作成し直すことができるといった用途にも適用できる。
【図面の簡単な説明】
【００４７】
【図１】本発明の実施の形態における記録再生装置のブロック図である。
【図２】本発明の実施の形態における管理情報ファイルの説明図である。
【図３】本発明の実施の形態における管理情報のチェックと内容修正処理のフロー図である。
【符号の説明】
【００４８】
１    記録媒体
２    コンテンツデータファイル群
３    オーディオデータファイル
４    静止画データファイル
５    ビデオデータファイル
６    管理情報ファイル群
７    コンテンツ情報ファイル
８    メニュー情報ファイル
９    プレイリスト情報ファイル
１０  メタデータ情報ファイル
１１  メニュー表示用画像ファイル
１２  記録再生装置
１３  制御手段
１４  ファイル管理手段
１５  管理情報ファイル作成手段
１６  内部記憶手段
１７  コンテンツデータファイル群
１８  編集者識別子別エラー情報ファイル
１９  ファイル記録手段
２０  ファイル読み出し手段
２１  コンテンツデータファイルデコード手段
２２  メニュー表示手段
２３  操作入力手段
２４  コンテンツデータファイルエンコード手段
【図１】
2007531175.tif 000003
【図２】
2007531175.tif 000004
【図３】
2007531175.tif 000005
【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
（ａ）所定のコンテンツデータを格納するコンテンツデータファイルと、（ｂ）前記コンテンツデータファイルを管理するための情報であって、同一種類の記録媒体を扱う任意のプログラムおよび／または機器に対して共通な形式をもつファイルシステム情報と、（ｃ）前記コンテンツデータファイルを管理するための情報であって、前記プログラムおよび／または前記機器に対して共通とは限らない形式をもち、前記ファイルシステム情報の内容の少なくとも一部と実質的に同じ内容をもつ管理情報を格納する管理情報ファイルとを保持する記録媒体と、
前記管理情報ファイルに格納される前記管理情報を作成する管理情報作成手段と、
前記ファイルシステム情報と前記管理情報ファイルに格納されている前記管理情報とを比較し、その比較の結果に論理的な整合性があるか否かを判断する判断手段と、
前記論理的な整合性がないと判断された場合に、前記管理情報ファイルに格納されている前記管理情報を変更する管理情報変更手段とを備え、
前記管理情報ファイルは、前記管理情報ファイルに格納されている前記管理情報の作成に利用されたプログラムおよび／または機器に関するプログラム／機器識別子を格納している、管理情報作成変更システム。
【請求項２】
前記論理的な整合性とは、前記記録媒体が前記管理情報ファイルを複数保持する場合には、前記ファイルシステム情報と前記管理情報との間の整合性のみならず、複数の前記管理情報ファイルにそれぞれ格納されている複数の前記管理情報の間の整合性をも意味する、請求項１記載の管理情報作成変更システム。
【請求項３】
前記論理的な整合性があるか否かを判断した結果に関する情報を外部に対して表示する表示手段をさらに備え、
前記管理情報変更手段は、外部からの指示に基づいて前記管理情報を変更するまたは変更しない、請求項２記載の管理情報作成変更システム。
【請求項４】
前記記録媒体に保持されている前記コンテンツデータファイルの削除、または前記記録媒体へのコンテンツデータファイルの書き込みが外部から要求された場合には、前記コンテンツデータファイルの削除、または前記コンテンツデータファイルの書き込みが行われる前に、
前記判断手段は、前記論理的な整合性があるか否かを判断し、
管理情報変更手段は、前記論理的な整合性がないと判断された場合には、前記管理情報ファイルに格納されている前記管理情報を変更する、請求項１記載の管理情報作成変更システム。
【請求項５】
外部からの前記要求に応じて、前記コンテンツデータファイルの削除、または前記コンテンツデータファイルの書き込みが行われた後にも、
前記判断手段は、前記論理的な整合性があるか否かを判断し、
管理情報変更手段は、前記論理的な整合性がないと判断された場合には、前記管理情報ファイルに格納されている前記管理情報を変更する、請求項４記載の管理情報作成変更システム。
【請求項６】
前記管理情報ファイルとは、（１）前記コンテンツデータファイルのパラメータを集約したコンテンツ情報ファイル、（２）前記コンテンツデータファイルの再生手順の設定または選択を行うためのメニュー表示に関するメニュー情報ファイル、（３）前記コンテンツデータファイルの再生手順を定義したプレイリストに関するプレイリスト情報ファイル、（４）前記コンテンツデータファイルのメタデータを集約したメタデータ情報ファイル、（５）前記メニュー表示で利用されるバックグランド画像または前記プレイリストのサムネイル画像に関する画像ファイルの内の全部または一部であり、
前記コンテンツデータファイルとは、（ａ）オーディオデータファイル、（ｂ）静止画データファイル、（ｃ）ビデオデータファイル、（ｄ）文字情報データファイルの内の全部または一部である、請求項１記載の管理情報作成変更システム。
【国際調査報告】
2007531175.tif 000006
2007531175.tif 000007